(57)【要約】【課題】指に負担をかけることなく円滑に連結解除操作を行うことができるバックル用押圧操作補助具を提供する。【解決手段】押圧操作補助具１は、バックル２に取付可能とされる。バックル２は一対の操作片２１２を同時に指でつまんで押圧操作することにより連結状態が解除される。押圧操作補助具１は、一方の操作片２１２に装着される第１指当て部１１と、他方の操作片２１２に装着される第２指当て部１２と、第１指当て部１１と第２指当て部１２と間の距離変化に追従可能な連結部１３とを備える。【選択図】図１
2020120950.tif 000002
【特許請求の範囲】
【請求項１】
バックルの両側から突出する一対の操作片を同時に指でつまんで押圧操作することにより連結状態が解除されるバックルに取付可能な押圧操作補助具であって、
一方の前記操作片に装着されて指に対する当接面積を拡張する第１指当て部と、他方の前記操作片に装着されて指に対する当接面積を拡張する第２指当て部と、前記第１指当て部と前記第２指当て部と間の距離変化に追従可能に前記第１指当て部と前記第２指当て部とを連結する連結部とを備えることを特徴とするバックル用押圧操作補助具。
【請求項２】
前記連結部は、前記第１指当て部から前記第２指当て部に向かって延設された第１アーム部と、前記第２指当て部から前記第１指当て部に向かって延設された第２アーム部とを備え、第１アーム部と第２アーム部とが互いに長手方向にスライド自在に連結されていることにより、前記第１指当て部と前記第２指当て部と間の距離変化に応じて伸縮することを特徴とする請求項１記載のバックル用押圧操作補助具。
【請求項３】
前記連結部は、柔軟性を有する材料で形成されていることにより、前記第１指当て部と前記第２指当て部と間の距離変化に応じて撓み自在とされていることを特徴とする請求項１記載のバックル用押圧操作補助具。
【請求項４】
前記連結部は、ヒンジを備えて屈曲自在とされ、前記ヒンジは、前記第１指当て部と前記第２指当て部と間の距離変化に追従して屈曲することを特徴とする請求項１記載のバックル用押圧操作補助具。
【発明の詳細な説明】
【技術分野】
【０００１】
本発明は、バックルの両側から突出する一対の操作片を同時に指でつまんで押圧操作することにより連結状態が解除されるバックルに取付可能な押圧操作補助具に関する。
【背景技術】
【０００２】
安全帯の胴ベルト等の連結部分に設けられているバックルは、雌バックルと雄バックルとによって構成されている（例えば下記特許文献１参照）。雌バックルと雄バックルとは、何れも主要部品が金属で形成されており、衝撃による割れや熱による溶融変形が生じることがない。
【０００３】
雄バックルは、雌バックルへの挿入方向に突出する板状の挿入片と、挿入片の両側に形成された一対の係合凹部とを備えている。雌バックルは、雄バックルの挿入片を収容するフレームと、雄バックルの挿入片がフレームに挿入されたときに、挿入片の各係合凹部に係合する一対の係合爪と、係合爪に一体に設けられてフレームの両側から外側に突出する一対の操作片とを備えている。
【０００４】
雌バックルの操作片は、フレームに揺動自在に支持されており、係合爪が雄バックルの係合凹部に係合する方向にばねにより付勢されている。雌バックルの係合爪が雄バックルの係合凹部に係合しているとき、ばねの付勢に対抗して操作片を操作することにより、係合爪の係合凹部への係合が解除され、雌バックルと雄バックルとの連結が解除される。このときの解除操作は、一対の操作片を２本の指で同時につまんで押圧する。
【先行技術文献】
【特許文献】
【０００５】
【特許文献１】特開２０１３−８１５９７号公報
【発明の概要】
【発明が解決しようとする課題】
【０００６】
しかし、雌バックルの操作片は、外部への不用意な接触による連結解除を防止するために、比較的小さく形成されている。このため、指が接触する操作片の側縁の面積が極めて小さく滑りやすい。しかも、両操作片を操作するときには、ばねの付勢に対抗するために比較的大きな力を付与しなければならず、指に対して負担がかかる。また、ネイルアートを施している場合には、両操作片を指でつまむことが困難となり、雌バックルから雄バックルを分離するのに時間と労力がかかってしまうおそれがある。
【０００７】
上記の点に鑑み、本発明は、 指に負担をかけることなく円滑に連結解除操作を行うことができるバックル用押圧操作補助具を提供することを目的とする。
【課題を解決するための手段】
【０００８】
かかる目的を達成するために、本発明は、バックルの両側から突出する一対の操作片を同時に指でつまんで押圧操作することにより連結状態が解除されるバックルに取付可能な押圧操作補助具であって、一方の前記操作片に装着されて指に対する当接面積を拡張する第１指当て部と、他方の前記操作片に装着されて指に対する当接面積を拡張する第２指当て部と、前記第１指当て部と前記第２指当て部と間の距離変化に追従可能に前記第１指当て部と前記第２指当て部とを連結する連結部とを備えることを特徴とする。
【０００９】
本発明によれば、第１指当て部と第２指当て部とにより指に対する当接面積が拡張されるので、両操作片を指でつまむことが容易となり、指に負担がかかることなく雌バックルから雄バックルを分離する操作を円滑に行うことができる。
【００１０】
本発明の第１の態様として、前記連結部は、前記第１指当て部から前記第２指当て部に向かって延設された第１アーム部と、前記第２指当て部から前記第１指当て部に向かって延設された第２アーム部とを備え、第１アーム部と第２アーム部とが互いに長手方向にスライド自在に連結されていることにより、前記第１指当て部と前記第２指当て部と間の距離変化に応じて伸縮することが挙げられる。
【００１１】
これにより、第１指当て部と第２指当て部との間の距離の変化に応じて第１アーム部と第２アーム部とがスライドし、第１指当て部と第２指当て部との移動が阻害されないので、円滑な連結解除操作を行うことができる。
【００１２】
本発明の第２の態様としては、前記連結部は、柔軟性を有する材料で形成されていることにより、前記第１指当て部と前記第２指当て部と間の距離変化に応じて撓み自在とされていることが挙げられる。
【００１３】
これにより、第１指当て部と第２指当て部との間の距離が小さくなると、連結部が撓むので、第１指当て部と第２指当て部との移動が阻害されず、円滑な連結解除操作を行うことができる。
【００１４】
本発明の第３の態様としては、前記連結部は、ヒンジを備えて屈曲自在とされ、前記ヒンジは、前記第１指当て部と前記第２指当て部と間の距離変化に追従して屈曲することが挙げられる。
【００１５】
これにより、第１指当て部と第２指当て部との間の距離が小さくなると、連結部が屈曲するので、第１指当て部と第２指当て部との移動が阻害されず、円滑な連結解除操作を行うことができる。
【図面の簡単な説明】
【００１６】
【図１】本発明の第１の実施形態の押圧操作補助具を示す側面図。
【図２】第１の実施形態の押圧操作補助具の作動を示す側面図。
【図３】図２の押圧操作補助具を分解して示す平面図。
【図４】本発明の第２の実施形態の押圧操作補助具を示す側面図。
【図５】第２の実施形態の押圧操作補助具を示す平面図。
【図６】第２の実施形態の押圧操作補助具における連結部の撓み状態を示す平面図。
【図７】本発明の第３の実施形態の押圧操作補助具を示す側面図。
【図８】第３の実施形態の押圧操作補助具における連結部の屈曲状態を示す側面図。
【発明を実施するための形態】
【００１７】
本発明の実施形態を図面に基づいて説明する。図１に示すように、第１の実施形態の押圧操作補助具１は、バックル２に取り付けて用いられる。
【００１８】
バックル２は、雌バックル２１と雄バックル２２とで構成され、例えば、安全帯を構成するベルト３の夫々の端部に設けられる。雌バックル２１には、フレーム２１１の両側から突出状態で設けられている一対の操作片２１２が設けられている。雄バックル２２は、雌バックル２１の操作片２１２を操作することにより雌バックル２１から分離される。
【００１９】
操作片２１２は、本実施形態に採用した雌バックル２１の場合、雄バックル２２の抜け方向に向かって両操作片２１２を同時に押し起こすように操作する。この操作により両操作片２１２は夫々の揺動軸２１３周りに揺動し、雄バックル２２との連結が解除される。
【００２０】
図１に示すように、雌バックル２１には押圧操作補助具１が取り付けられており、両操作片２１２の操作は、押圧操作補助具１を介して行われる。
【００２１】
押圧操作補助具１は、一方の操作片２１２に装着された第１指当て部１１と、 他方の操作片２１２に装着された第２指当て部１２と、第１指当て部１１と第２指当て部１２とを連結する連結部１３とを備えている。
【００２２】
第１指当て部１１と第２指当て部１２とは、夫々、指に対する当接面積を拡張する形状とされている。連結部１３は、第１指当て部１１と第２指当て部１２と間の距離変化に追従可能となるように構成されている。
【００２３】
ここで、連結部１３の構成について詳しく説明する。連結部１３は、図１及び図２に示すように、第１指当て部１１から第２指当て部１２に向かって延設された第１アーム部１３１と、第２指当て部１２から第１指当て部１１に向かって延設された第２アーム部１３２とを備えている。
【００２４】
第１アーム部１３１には、突起１３３が形成され、第２アーム部１３２には、第１アーム部１３１の突起１３３を長手方向に案内する案内スリット１３４が形成されている。これにより、連結部１３は、第１指当て部１１と第２指当て部１２と間の距離変化に追従して図１に示す伸長状態と図２に示す伸縮状態との間で伸縮する。このように、第１アーム部１３１と第２アーム部１３２とは、互いに長手方向にスライド自在に連結されていることにより、第１指当て部１１と第２指当て部１２と間で伸縮する。
【００２５】
なお、本実施形態においては、図３に示すように、第１指当て部１１と第２指当て部１２とが備える第１アーム部１３１と第２アーム部１３２との突起１３３と案内スリット１３４とを互い違いに設けておくことにより、第１指当て部１１側の形状と第２指当て部１２側の形状とを同一として製造コストを低減させることが可能となっている。
【００２６】
以上のように、第１指当て部１１と第２指当て部１２とにより指に対する当接面積が拡張されるので、両操作片２１２を指でつまむことが容易となり、指に負担をかけることなく雌バックル２１と雄バックル２２とを分離させる操作を行うことができる。
【００２７】
そして、第１アーム部１３１と第２アーム部１３２とがスライドして伸縮自在となっていることにより、操作片２１２に対する操作に円滑に追従させることができる。
【００２８】
また、本発明の第２の実施形態の押圧操作補助具４は、図４及び図５に示すように、第１指当て部４１と第２指当て部４２とを連結する連結部４３が、柔軟性の高い合成樹脂によって形成されている。
【００２９】
これにより、図６に示すように、第１指当て部４１と第２指当て部４２と間で連結部４３が撓むことにより、第１指当て部４１と第２指当て部４２との間の距離変化に円滑に追従させることができる。
【００３０】
また、本発明の第３の実施形態の押圧操作補助具５は、図７に示すように、第１指当て部５１と第２指当て部５２とを連結する連結部５３に、ヒンジ５３１を備えている。
【００３１】
これにより、図８に示すように、第１指当て部５１と第２指当て部５２と間でヒンジ５３１が屈曲することにより、第１指当て部５１と第２指当て部５２との接近による距離変化に円滑に追従させることができる。
【符号の説明】
【００３２】
１，４，５…押圧操作補助具、２…バックル、１１，４１，５１…第１指当て部、１２，４２，５２…第２指当て部、１３，４３，５３…連結部、１３１…第１アーム部、１３２…第２アーム部、２１２…操作片、５３１…ヒンジ。
【図１】
2020120950.tif 000003
【図２】
2020120950.tif 000004
【図３】
2020120950.tif 000005
【図４】
2020120950.tif 000006
【図５】
2020120950.tif 000007
【図６】
2020120950.tif 000008
【図７】
2020120950.tif 000009
【図８】
2020120950.tif 000010